(57)【要約】【課題】  ＦＰＣケーブルを装着するコネクタにＦＰＣケーブルの補強板に引掛ける切欠きを設けることで、装着して容易に抜けない構造にしたコネクタを提供する。【解決手段】  コネクタは、端部に整列状態で形成した複数の端子からなる接点と、この接点の反対側に取付けた補強板とを備えたＦＰＣケーブルと、ＦＰＣケーブルを差し込むケーブル挿入口を有し、このケーブル挿入口の内側にＦＰＣケーブルをガイドするケーブルガイド部を少なくとも設けたコネクタと、からなり、このケーブルガイド部には、ＦＰＣケーブルの補強板の内側端縁が引掛けるための段差を設けたことである。【選択図】  図１
2006032155.tif 000002
【特許請求の範囲】
【請求項１】
端部に整列状態で形成した複数の端子からなる接点と、該接点の反対側に取付けた補強板とを備えたＦＰＣケーブルと、
前記ＦＰＣケーブルを差し込むケーブル挿入口を有し、該ケーブル挿入口の内側にＦＰＣケーブルをガイドするケーブルガイド部を少なくとも設けたコネクタと、からなり、
前記ケーブルガイド部には、前記ＦＰＣケーブルの補強板の内側端縁が引掛けるための段差を設けたことを特徴とするコネクタ。
【請求項２】
前記ＦＰＣケーブルは、前記接点の奥行き長さが前記補強板の奥行き長さよりも短く形成したことを特徴とする請求項１に記載のコネクタ。
【発明の詳細な説明】
【技術分野】
【０００１】
本発明は、コネクタに関し、詳しくはＦＰＣ／ＦＦＣコネクタにおいてＦＰＣケーブルを差し込んだときにそのＦＰＣケーブルの抜け強度を向上させる為に、ＦＰＣケーブルに取付けられているＦＰＣ補強板を利用して、コネクタ内部のケーブルをガイドするガイド部に段差を持たせて引掛け構造にして抜け強度を向上させたＦＰＣ／ＦＦＣコネクタに関する。
【背景技術】
【０００２】
従来技術におけるＦＰＣケーブルとコンタクトするコネクタ１０は、図５及び図７〜図９に示すように、薄型の直方体形状に形成されたハウジング１１と、このハウジング１１内部に整列状態で形成されたＦＰＣケーブル３５の端子３７の数に合わせた端子係合室１０Ａを設け、この端子係合室１０Ａにはハウジング１１の前方方向から挿入係止する押さえバネ１２と、ハウジング１１の後方方向から挿入係止するコンタクト１３とを備えた構成になっている。
ハウジング１１に設けた端子係合室１０Ａは、前方方向にＦＰＣケーブル３５を挿入するためのケーブル挿入口１４を設け、その内部空間手前にケーブル３５を収容するケーブル収容部１５を設け、その奥空間に押えバネ１２を係合係止して収容する押えバネ収容部１６を設け、最も奥空間にコンタクト１３を係合係止して収容するコンタクト収容部１７を設け、このコンタクト収容部１７の略中間位置にＦＰＣケーブル３５の挿入位置を決めるケーブル係止部１８を備えた構造となっている。
【０００３】
又、ハウジング１１の端子係合室１０Ａの天井面には一部開口として開放窓１９を設け、ケーブル収容部１５の底部には押えバネ１２を係止する押えバネ係合部２０を備え、コンタクト収容部１７の底部にはコンタクト１３を係止するコンタクト係合部２１を設けた構造となっている。
更に、ケーブル挿入口１４に連続した上部位置にケーブル３５を挿入方向にガイドする上部ケーブルガイド部２２と、同じくケーブル挿入口１４に連続した下部位置にケーブル３５を挿入方向にガイドする下部ケーブルガイド部２３とを設けた構造になっている。
【０００４】
コンタクト１３は、導電性部材で形成され、ボード等に接続するための外部に露出した状態に形成されている接続部２５と、接続部２５から直交する方向に折り曲げて基部２６を形成し、更に基部２６を接続部２５とは反対方向の直交する方向に折り曲げて連結部２７を形成し、この連結部２７に連設した先端に曲面形状に形成した接触部２８とからなる。このように折り曲げて形成したコンタクト１３において、基部２６がコンタクト係合部２１に係合して係止されると、連結部２７が弾性状態となり、接触部２８がＦＰＣケーブル３５の端子３７に接触して持ち上がるとその持ち上がった分だけ端子３７方向に弾性力を与える。
【０００５】
押えバネ１２は、金属性部材で形成され、ボード等に接続するための外部に露出した状態に形成されている押え接続部３０と、押え接続部３０から略同じ方向に折り曲げて押え基部３１を形成し、更に押え基部３１を傾斜するように曲げて押え連結部３２を形成し、この押え連結部３２に連設した先端に曲面形状に形成した押え接触部３３とからなる。このように折り曲げて形成した押えバネ１２において、押え基部３１が押えバネ係合部２０に係合して係止されると、押え連結部３２が弾性状態となり、押え接触部３３がＦＰＣケーブル３５の補強板３９に接触して弾性変形し、その弾性変形した分だけ補強板３９方向に弾性力を与える。
【０００６】
ＦＰＣケーブル３５は、図５及び図１１に示すように、フラットでフレキシブルに形成され、そのケーブル３６の端部には整列状態に等間隔で配置された端子３７からなる接点３８と、この接点３８の背面にあたる反対側に補強板３９を取付けた構造となっている。この接点３８の奥行き長さが補強板３９の奥行き長さよりも短く形成されている。
【０００７】
このような構成からなるコネクタ１０において、ハウジング１１内には、ハウジング１１の後面から装着したコンタクト１３、及び前面から装着した押えバネ１２が存在し、その接触部２８及び押え接触部３３が所定の間隔を持って離隔して対峙した状態に位置した構造となっている。
そして、図６に示すように、このコネクタ１０にＦＰＣケーブル３５を挿入して装着すると、先ず、ＦＰＣケーブル３５の先端側の接点３８が上側、補強板３９が下側にして、ケーブル挿入口１４から差し込むと接点３８は上部ケーブルガイド部２２によりガイドされ、補強板３９は下部ケーブルガイド部２３によりガイドされ、更に奥方向にガイドされ、接点３８がコンタクト１３の接触部２８に当接して上方向に押し上げることで弾性付与され、補強板３９が押えバネ１２の押え接触部３３に当接して下方向に押し下げることで弾性付与される。即ち、ケーブル３５は、上下面の接点３８及び補強板３９の両面がコンタクト１３の接触部２８及び押えバネ１２の押え接触部３３の両方で上下から当接された状態で支持される。
【０００８】
【特許文献１】特開２００２−１５８０５５号（第５頁〜７頁、第１図）
【発明の開示】
【発明が解決しようとする課題】
【０００９】
しかしながら、上記背景技術の項で説明した従来技術のコネクタにおいては、ＦＰＣケーブルの接点と補強板の両面を当接した状態で支持することになるが、ケーブル自体が挿入して接触状態を維持しているときには、コンタクトの接触圧のみで保持され、抜け止め等の何の細工も施されていないため、接点が接触した状態において、外部からの衝撃或はこじり等により、抜けるか又は接触位置がずれることによる接触不良が発生するという問題がある。
【００１０】
又、コネクタ自体が小型化し且つ実装密度が高蜜化すると、コンタクトの接触圧を向上させることが構造的に困難である。
【００１１】
更に、ＦＰＣケーブル側に切欠きを設けてコネクタに引っ掛けるという構造もあるが、ケーブル自体が大きくなり、且つコネクタのサイズも大きくしなければならないという問題がある。
【００１２】
従って、小型化及び実装密度が高くなっているＦＰＣケーブル及びコネクタの構造において、現状の大きさや構造を根本的に変更させることなく、ＦＰＣケーブルがコネクタに挿入されたならば容易に抜けないような構造に解決しなければならない課題を有する。
【課題を解決するための手段】
【００１３】
上記課題を解決するために、本発明に係るコネクタは、次に示す構成にすることである。
【００１４】
（１）コネクタは、端部に整列状態で形成した複数の端子からなる接点と、該接点の反対側に取付けた補強板とを備えたＦＰＣケーブルと、前記ＦＰＣケーブルを差し込むケーブル挿入口を有し、該ケーブル挿入口の内側にＦＰＣケーブルをガイドするケーブルガイド部を少なくとも設けたコネクタと、からなり、前記ケーブルガイド部には、前記ＦＰＣケーブルの補強板の内側端縁が引掛けるための段差を設けたことである。
（２）前記ＦＰＣケーブルは、前記接点の奥行き長さが前記補強板の奥行き長さよりも短く形成したことを特徴とする（１）に記載のコネクタ。
【発明の効果】
【００１５】
本発明のコネクタは、挿入されているＦＰＣケーブルの抜けを防止するために、ＦＰＣケーブルに取付けられている補強板の板厚を利用して、ケーブル挿入口に設けてあるケーブルガイド部に補強板の板厚からなる端縁が係合する段差を設けたことで、ＦＰＣケーブルが挿入した後に、抜く方向に力がかかっても、この段差に引掛かるため、接触状態を維持した状態で抜けを防止することができる。
【発明を実施するための最良の形態】
【００１６】
次に、本発明に係るコネクタの実施例について、図面を参照して説明する。尚、従来技術で説明したものと同じものには同一符号を付与して説明する。
【実施例１】
【００１７】
本願発明に係る第１実施例のコネクタは、図１及び図７〜図９に示すように、薄型の直方体形状に形成されたハウジング１１と、このハウジング１１内部に整列状態で形成されたＦＰＣケーブル３５の端子３７の数に合わせた端子係合室１０Ａを設け、この端子係合室１０Ａにはハウジング１１の前方方向から挿入され係合係止されている押さえバネ１２と、ハウジング１１の後方方向から挿入され係合係止されているコンタクト１３とを備えた構成となっている。
【００１８】
ハウジング１１に設けた端子係合室１０Ａは、前方方向にＦＰＣケーブル３５を挿入するためのケーブル挿入口１４を設け、その内部空間手前にケーブル３５を収容するケーブル収容部１５を設け、その奥空間に押えバネ１２を係合係止して収容する押えバネ収容部１６を設け、最も奥空間にコンタクト１３を係合係止して収容するコンタクト収容部１７を設け、このコンタクト収容部１７の略中央位置にＦＰＣケーブル３５の挿入位置を決めるケーブル係止部１８を備えた構造となっている。
【００１９】
又、ハウジング１１の端子係合室１０Ａの天井面には一部開口として開放窓１９を設け、ケーブル収容部１５の底部には押えバネ１２を係止する押えバネ係合部２０を備え、コンタクト収容部１７の底部にはコンタクト１３を係止するコンタクト係合部２１を設けた構造となっている。
更に、ケーブル挿入口１４に連続した上部位置にケーブル３５を挿入方向にガイドする上部ケーブルガイド部２２と、同じくケーブル挿入口１４に連続した下部位置にケーブル３５を挿入方向にガイドする下部ケーブルガイド部２３とを設けた構造になっている。
この下部ケーブルガイド部２３は、そのケーブル挿入口１４近傍位置にＦＰＣケーブル３５の補強板３９の板厚に相当する深さの切欠きで形成された補強板引掛部２４を備えている。
【００２０】
コンタクト１３は、導電性部材で形成され、ボード等に接続するための外部に露出した状態に形成されている接続部２５と、接続部２５から直交する方向に折り曲げて基部２６を形成し、更に基部２６を接続部２５とは反対方向の直交する方向に折り曲げて連結部２７を形成し、この連結部２７に連設した先端に曲面形状に形成した接触部２８とからなる。このように折り曲げて形成したコンタクト１３において、基部２６がコンタクト係合部２１に係合して係止されると、連結部２７が弾性状態となり、接触部２８がＦＰＣケーブル３５の端子３７に接触して持ち上がるとその持ち上がった分だけ接点方向に弾性力を与える。
【００２１】
押えバネ１２は、金属性部材で形成され、ボード等に接続するための外部に露出した状態に形成されている押え接続部３０と、押え接続部３０から略同じ方向に折り曲げて押え基部３１を形成し、更に押え基部３１を傾斜するように曲げて押え連結部３２を形成し、この押え連結部３２に連設した先端に曲面形状に形成した押え接触部３３とからなる。このように折り曲げて形成した押えバネ１２において、押え基部３１が押えバネ係合部２０に係合して係止されると、押え連結部３２が弾性状態となり、押え接触部３３がＦＰＣケーブル３５の補強板３９に接触して弾性変形し、その弾性変形した分だけ補強板３９方向に弾性力を与える。
【００２２】
ＦＰＣケーブル３５は、従来技術で説明したものと同じであり、図１及び図１１に示すように、フラットでフレキシブルに形成されたケーブル３６であり、その端部には整列状態に等間隔で配置された端子３７からなる接点３８と、この接点３８の反対側の背面にあたる反対側に補強板３９を取付けた構造となっている。この接点３８の奥行き長さが補強板３９の奥行き長さよりも短く形成されている。
【００２３】
このような構成からなるコネクタ１０は、図１０に示すように、ボード８０に設けたコネクタ配置部８３の接続係止部８１、８２に接続部２５及び押え接続部３０を接触させてハンダ付け等により接続することでボード８０に固定する。
【００２４】
このようにしてボードに装着されたコネクタ１０において、図１に示すように、ハウジング１１内には、ハウジング１１の後面から装着したコンタクト１３、及び前面から装着した押えバネ１２が存在し、その接触部２８と押え接触部３３が所定の間隔を持って離隔して対峙した状態に位置した構造となっている。
【００２５】
そして、図２に示すように、このコネクタ１０にＦＰＣケーブル３５を挿入して装着すると、先ず、ＦＰＣケーブル３５の先端側の接点３８が上側、補強板３９が下側にして、ケーブル挿入口１４から差し込むと接点３８は上部ケーブルガイド部２２によりガイドされ、補強板３９は下部ケーブルガイド部２３によりガイドされ、更に奥方向にガイドされ、接点３８がコンタクト１３の接触部２８に当接して上方向に押し上げることで弾性付与され、補強板３９が押えバネ１２の押え接触部３３に当接して下方向に押し下げることで弾性付与される。
即ち、ケーブル３５は、上下面の接点３８及び補強板３９の両面がコンタクト１３の接触部２８及び押えバネ１２の押え接触部３３の両方で上下から当接された状態で支持される。
同時に、補強板３９の内側端縁４０が補強板引掛部２４に係合することで、そのままで抜こうとしても補強板引掛部２４に補強板３９の端縁４０が接合した状態となりケーブル３５は抜けない。このようにして、ケーブル３５が挿入されると、その接点３８がコンタクト１３の接触部２８に接触した状態となり、その時には補強板引掛部２４に補強板３９の端縁４０が係合しているか、係合できる位置にあるため、外部からの衝撃やこじりによる挿抜方向の動きはごく限られたものになり、安定した接続状態を維持することができる。
そして、ＦＰＣケーブル３５を抜く時にはケーブル自体を少々上方向に持ち上げることで補強板引掛部２４に係合している補強板３９の端縁４０を外すことで簡単に抜くことができる。
【実施例２】
【００２６】
次に、本願発明の第２実施例のコネクタについて、図面を参照して説明する。
第２実施例のコネクタ５０は、図３及び図７〜図９に示すように、薄型の直方体形状に形成されたハウジング５１と、このハウジング５１内部に整列状態で形成されたＦＰＣケーブル３５の端子３７の数に合わせた端子係合室１０Ａを設け、この端子係合室１０Ａにはハウジング５１の前方方向から挿入され係合係止されているコンタクト５２と、ハウジング５１の後方方向から挿入され係合係止されている押えバネ５３とを備えて構成されている。
【００２７】
ハウジング５１の端子係合室１０Ａは、前方方向にＦＰＣケーブル３５を挿入するためのケーブル挿入口５４を設け、その内部空間手前にケーブル３５を収容するケーブル収容部５５を設け、その奥空間にコンタクト５２を係合係止して収容するコンタクト収容部５６を設け、最も奥空間に押えバネ５３を係合係止して収容する押えバネ収容部５７を設け、この押えバネ収容部５７の略中央位置にＦＰＣケーブル３５の挿入位置を決めるケーブル係止部５８を備えた構造となっている。
【００２８】
又、ハウジング５１の端子係合室１０Ａの天井面には一部開口として開放窓５９を設け、ケーブル収容部５５の底部にはコンタクト５２を係止するコンタクト係合部６０を備え、押えバネ収容部５７の底部には押えバネ５３を係止する押えバネ係合部６１を設けた構造となっている。
更に、ケーブル挿入口５４に連続した上部位置にケーブル３５を挿入方向にガイドする上部ケーブルガイド部６２と、同じくケーブル挿入口５４に連続した下部位置にケーブル３５を挿入方向にガイドする下部ケーブルガイド部６３とを設けた構造になっている。
この上部ケーブルガイド部６２は、そのケーブル挿入口５４近傍位置にＦＰＣケーブル３５の補強板３９の板厚に相当する深さの切欠きで形成された補強板引掛部６４を備えている。
【００２９】
押えバネ５３は、導電性部材で形成され、ボード等に接続するための外部に露出した状態に形成されている接続部６５と、接続部６５から直交する方向に折り曲げて基部６６を形成し、更に基部６６を接続部６５とは反対方向の直交する方向に折り曲げて連結部６７を形成し、この連結部６７に連設した先端に曲面形状に形成した接触部６８とからなる。このように折り曲げて形成した押えバネ５３において、基部６６が押えバネ係合部６１に係合して係止されると、連結部６７が弾性状態となり、接触部６８がＦＰＣケーブル３５の補強板３９に接触して持ち上がるとその持ち上がった分だけ補強板３９方向に弾性力を与える。
【００３０】
コンタクト５２は、金属性部材で形成され、ボード等に接続するための外部に露出した状態に形成されているコンタクト接続部７０と、コンタクト接続部７０から略同じ方向に折り曲げてコンタクト基部７１を形成し、更にコンタクト基部７１を傾斜するように曲げてコンタクト連結部７２を形成し、このコンタクト連結部７２に連設した先端に曲面形状に形成したコンタクト接触部７３とからなる。このように折り曲げて形成したコンタクト５２において、コンタクト基部７１がコンタクト係合部６０に係合して係止されると、コンタクト連結部７２が弾性状態となり、コンタクト接触部７３がＦＰＣケーブル３５の端子３７に接触して弾性変形し、その弾性変形した分だけ端子３７方向に弾性力を与える。
【００３１】
ＦＰＣケーブル３５は、図３に示すように、フラットでフレキシブルなケーブル３６で形成され、その端部には整列状態に等間隔で配置された端子３７からなる接点３８と、この接点３８の反対側の背面にあたる位置に補強板３９を取付けた構造となっている。この接点３８の奥行き長さが補強板３９の奥行き長さよりも短く形成されている。
【００３２】
このような構成からなるコネクタ５０は、図１０に示すように、ボード８０に設けたコネクタ配置部８３の接続係止部８１、８２に接続部６５及びコンタクト接続部７０を接触させてハンダ付け等により接続することでボード８０に固定する。
【００３３】
このようにしてボード８０に装着されたコネクタ５０において、図３に示すように、ハウジング５１内には、ハウジング５１の後面から装着した押えバネ５３、及び前面から装着したコンタクト５２が存在し、その接触部６８とコンタクト接触部７３が所定の間隔を持って離隔して対峙した状態に位置した構造となっている。
【００３４】
そして、図４に示すように、このコネクタ５０にＦＰＣケーブル３５を挿入して装着すると、先ず、ＦＰＣケーブル３５の先端側の接点３８が下側、補強板３９が上側にして、ケーブル挿入口５４から差し込むと接点３８は下部ケーブルガイド部６３によりガイドされ、補強板３９は上部ケーブルガイド部６２によりガイドされ、更に奥方向にガイドされ、接点３８がコンタクト５２のコンタクト接触部７３に当接して下方向に押し下げることで弾性付与され、補強板３９が押えバネ５３の接触部６８に当接して上方向に押し上げることで弾性付与される。
即ち、ケーブル３５は、上下面の接点３８及び補強板３９の両面がコンタクト５２のコンタクト接触部７３及び押えバネ５３の接触部６８との両方で上下から当接された状態で支持される。
同時に、補強板３９の内側端縁４０が補強板引掛部６４に係合することで、そのままで抜こうとしても補強板引掛部６４に補強板３９の端縁４０が当接した状態となり、ケーブル３５が抜けない。このようにして、ケーブル３５が挿入されると、その接点３８がコンタクト５２のコンタクト接触部７３に接触した状態となり、その時には補強板引掛部６４に補強板３９の端縁４０が係合しているか、係合できる位置にあるため、挿抜方向の動きはごく限られたものになる。
そして、ＦＰＣケーブル３５を抜く時にはケーブル自体を少々下方向に持ち下げることで補強板引掛部６４に係合している補強板３９の端縁４０を外すことで簡単に抜くことができる。
【産業上の利用可能性】
【００３５】
本発明のコネクタは、ＦＰＣケーブルをコネクタに挿入したときに、そのケーブルに取付けられている補強板の板厚を利用してコネクタ内部のガイド部に設けた切欠部に補強板を係合させることで容易に抜けない構造にしたコネクタを提供することができる。
【図面の簡単な説明】
【００３６】
【図１】本願発明に係る第１実施例のコネクタの断面図である。
【図２】同、ＦＰＣケーブルを挿入したときのコネクタの断面図である。
【図３】本発明に係る第２実施例のコネクタの断面図である。
【図４】同、ＦＰＣケーブルを挿入したときのコネクタの断面図である。
【図５】従来技術におけるコネクタの断面図である。
【図６】同、ＦＰＣケーブルを挿入したときのコネクタの断面図である。
【図７】コネクタの平面図である。
【図８】コネクタの正面図である。
【図９】コネクタの側面図である。
【図１０】コネクタを載置するボードの一部を示したものである、
【図１１】ＦＰＣケーブルの先端部位の接点の構造を示した平面図である。
【符号の説明】
【００３７】
１０；コネクタ、１０Ａ；端子係合室、１１；ハウジング、１２；押えバネ、１３；コンタクト、１４；ケーブル挿入口、１５；ケーブル収容部、１６；押えバネ収容部、１７；コンタクト収容部、１８；ケーブル係止部、１９；開放窓、２０；押えバネ係合部、２１；コンタクト係合部、２２；上部ケーブルガイド部、２３；下部ケーブルガイド部、２４；補強板引掛部、２５；接続部、２６；基部、２７；連結部、２８；接触部、３０；押え接続部、３１；押え基部、３２；押え連結部、３３；押え接触部、３５；ＦＰＣケーブル、３６；ケーブル、３７；端子、３８；接点、３９；補強板、４０；端縁。
【図１】
2006032155.tif 000003
【図２】
2006032155.tif 000004
【図３】
2006032155.tif 000005
【図４】
2006032155.tif 000006
【図５】
2006032155.tif 000007
【図６】
2006032155.tif 000008
【図７】
2006032155.tif 000009
【図８】
2006032155.tif 000010
【図９】
2006032155.tif 000011
【図１０】
2006032155.tif 000012
【図１１】
2006032155.tif 000013